(57)【要約】      （修正有）【課題】着用者の腋下へのフィット性を向上して吸汗性能を高めた腋下用汗取りパッドを提供する。【解決手段】腋下用汗取りパッド１００は、粘着部２０が、先細り形状であり、本体部１０における対向する両端２ａ、２ｂに先細り形状の先端２０ａがそれぞれ接続され、着用者の正面側及び背面側における肩に付着して着用者の腋下に本体部１０を保持する。本体部１０における対向する両端２ａ、２ｂを略直線状に結ぶ第１の仮想線２が、装着状態で着用者２００の腋窩に対応して凸形状に湾曲する。第１の仮想線２に直交し、本体部１０における対向する他の両端３ａ、３ｂを略直線状に結ぶ第２の仮想線３が、装着状態で着用者の腋窩に対応して凸形状に湾曲している。【選択図】図１
0003160711.tif 000002
【実用新案登録請求の範囲】
【請求項１】
腋下からの汗を吸収する吸収層及び当該吸収層に吸収された汗の透過を防止する不透過層を含む複数層からなる扁形の本体部と、着用者の皮膚に付着して当該着用者の腋下に前記本体部を保持する扁形の粘着部とを備える腋下用汗取りパッドにおいて、
前記粘着部が、先細り形状であり、前記本体部における対向する両端に当該先細り形状の先端がそれぞれ接続され、前記着用者の正面側及び背面側における肩に付着して当該着用者の腋下に前記本体部を保持し、
前記本体部における対向する両端を略直線状に結ぶ第１の仮想線が、装着状態で前記着用者の腋窩に対応して凸形状に湾曲し、
前記第１の仮想線に直交し、前記本体部における対向する他の両端を略直線状に結ぶ第２の仮想線が、装着状態で前記着用者の腋窩に対応して凸形状に湾曲していることを特徴とする腋下用汗取りパッド。
【請求項２】
腋下からの汗を吸収する吸収層及び当該吸収層に吸収された汗の透過を防止する不透過層を含む複数層からなる扁形の本体部と、着用者の皮膚に付着して当該着用者の腋下に前記本体部を保持する扁形の粘着部とを備える腋下用汗取りパッドにおいて、
前記粘着部が、先細り形状であり、前記本体部における対向する両端に当該先細り形状の先端がそれぞれ接続され、前記着用者の正面側及び背面側における肩に付着して当該着用者の腋下に前記本体部を保持し、
前記本体部における対向する両端を略直線状に結ぶ第１の仮想線が、装着状態で衣服のそでぐりに対応して凹形状に湾曲し、
前記第１の仮想線に直交し、前記本体部における対向する他の両端を略直線状に結ぶ第２の仮想線が、装着状態で前記着用者の腋窩に対応して凸形状に湾曲していることを特徴とする腋下用汗取りパッド。
【請求項３】
前記請求項１又は２に記載の腋下用汗取りパッドにおいて、
前記本体部が、前記第１の仮想線の一端から他端にかけて周縁部の略半周に亘り配設され、前記着用者の胴体側面における腋下部に付着して当該着用者の腋下に前記吸収層を保持する粘着層を備えていることを特徴とする腋下用汗取りパッド。
【請求項４】
前記請求項１乃至３のいずれかに記載の腋下用汗取りパッドにおいて、
前記本体部が、前記第２の仮想線に対して略平行に延在し、前記吸収層及び不透過層より剛性を高く形成される支持部を備えていることを特徴とする腋下用汗取りパッド。
【考案の詳細な説明】
【技術分野】
【０００１】
この考案は、腋下からの汗を吸収し、吸収した汗の衣服への透過を防止する腋下用汗取りパッドに関するものである。
【背景技術】
【０００２】
従来の汗取りパットにおいては、脇の汗腺を覆う形状の吸収パット部と、該吸収パット部の周縁にもうけた周縁部と、周縁部に設けられた粘着層とにより構成される（例えば、特許文献１参照）。
【先行技術文献】
【特許文献】
【０００３】
【特許文献１】特開２００４−６８２３６号公報
【考案の概要】
【考案が解決しようとする課題】
【０００４】
従来の汗取りパットは、汗腺を覆い全体を囲むように突起による漏れ止めが設けられているために、着用者の腋窩に対応して十分に湾曲することができず、フィット性が不足して腋との密着性が弱く、汗の吸収性に劣るという課題がある。また、シート状である従来の汗取りパッドに立体形状を与えようとすると、パッド自体の折曲げ箇所が増え、その部分は硬く盛り上がった状態となるので、装着状態で着用者に違和感を与えてしまうという課題がある。
【０００５】
この考案は、上述のような課題を解決するためになされたもので、着用者の腋下へのフィット性を向上して吸汗性能を高めた腋下用汗取りパッドを提供することを目的とする。
【課題を解決するための手段】
【０００６】
この考案に係る腋下用汗取りパッドにおいては、粘着部が、先細り形状であり、本体部における対向する両端に当該先細り形状の先端がそれぞれ接続され、着用者の正面側及び背面側における肩に付着して当該着用者の腋下に本体部を保持し、本体部における対向する両端を略直線状に結ぶ第１の仮想線が、装着状態で着用者の腋窩に対応して凸形状に湾曲し、第１の仮想線に直交し、本体部における対向する他の両端を略直線状に結ぶ第２の仮想線が、装着状態で着用者の腋窩に対応して凸形状に湾曲しているものである。
【０００７】
この考案に係る腋下用汗取りパッドにおいては、粘着部が、先細り形状であり、本体部における対向する両端に当該先細り形状の先端がそれぞれ接続され、着用者の正面側及び背面側における肩に付着して当該着用者の腋下に本体部を保持し、本体部における対向する両端を略直線状に結ぶ第１の仮想線が、装着状態で衣服のそでぐりに対応して凹形状に湾曲し、第１の仮想線に直交し、本体部における対向する他の両端を略直線状に結ぶ第２の仮想線が、装着状態で着用者の腋窩に対応して凸形状に湾曲しているものである。
【０００８】
また、この考案に係る腋下用汗取りパッドにおいては、必要に応じて、本体部が、第１の仮想線の一端から他端にかけて周縁部の略半周に亘り配設され、着用者の胴体側面における腋下部に付着して当該着用者の腋下に吸収層を保持する粘着層を備えているものである。
【０００９】
また、この考案に係る腋下用汗取りパッドにおいては、必要に応じて、本体部が、第２の仮想線に対して略平行に延在し、吸収層及び不透過層より剛性を高く形成される支持部
を備えているものである。
【考案の効果】
【００１０】
この考案に係る腋下用汗取りパッドにおいては、粘着部が、先細り形状であり、本体部における対向する両端に当該先細り形状の先端がそれぞれ接続され、着用者の正面側及び背面側における肩に付着して当該着用者の腋下に本体部を保持し、本体部における対向する両端を略直線状に結ぶ第１の仮想線が、装着状態で着用者の腋窩に対応して凸形状に湾曲し、第１の仮想線に直交し、本体部における対向する他の両端を略直線状に結ぶ第２の仮想線が、装着状態で着用者の腋窩に対応して凸形状に湾曲していることにより、着用者の腋下へのフィット性を向上して吸汗性能を高めることができる。
【００１１】
この考案に係る腋下用汗取りパッドにおいては、粘着部が、先細り形状であり、本体部における対向する両端に当該先細り形状の先端がそれぞれ接続され、着用者の正面側及び背面側における肩に付着して当該着用者の腋下に本体部を保持し、本体部における対向する両端を略直線状に結ぶ第１の仮想線が、装着状態で衣服のそでぐりに対応して凹形状に湾曲し、第１の仮想線に直交し、本体部における対向する他の両端を略直線状に結ぶ第２の仮想線が、装着状態で着用者の腋窩に対応して凸形状に湾曲していることにより、衣服のそでぐりが腋下用汗取りパッドを支持して、着用者の腋下から腋下用汗取りパッドの脱落を防止すると共に、着用者の腋下へのフィット性を向上して吸汗性能を高めることができる。
【００１２】
また、この考案に係る腋下用汗取りパッドにおいては、必要に応じて、本体部が、第１の仮想線の一端から他端にかけて周縁部の略半周に亘り配設され、着用者の胴体側面における腋下部に付着して当該着用者の腋下に吸収層を保持する粘着層を備えていることにより、本体部における対向する両端に接続する２つの粘着部と本体部の粘着層との三点支持により、着用者の腋下に対して吸収層の位置ずれを防止することができる。
【００１３】
また、この考案に係る腋下用汗取りパッドにおいては、必要に応じて、本体部が、第２の仮想線に対して略平行に延在し、吸収層及び不透過層より剛性を高く形成される支持部を備えていることにより、本体部の凸形状の湾曲状態から平面状態への復元力を生じさせ、着用者の腋下に対して本体部を密着させることができる。
【図面の簡単な説明】
【００１４】
【図１】（ａ）は第１の実施形態に係る腋下用汗取りパッドの概略構成を示す平面図であり、（ｂ）は図１（ａ）に示す腋下用汗取りパッドの矢視Ａ−Ａ線の断面図であり、（ｃ）は図１（ａ）に示す腋下用汗取りパッドの矢視Ｂ−Ｂ線の断面図である。
【図２】（ａ）は図１に示す腋下用汗取りパッドを着用者の腋下に装着した状態を説明するための説明図であり、（ｂ）は図１に示す本体部の湾曲状態を説明するための説明図であり、（ｃ）は第１の実施形態に係る腋下用汗取りパッドの他の概略構成を示す平面図である。
【図３】（ａ）は図１に示す腋下用汗取りパッドの側面図であり、（ｂ）は図３（ａ）に示す本体部を凸形状に湾曲させた状態を示す側面図であり、（ｃ）は図３（ｂ）に示す本体部をさらに湾曲させた状態を示す側面図である。
【図４】（ａ）は第２の実施形態に係る腋下用汗取りパッドの概略構成を示す平面図であり、（ｂ）は図４（ａ）に示す本体部の湾曲状態を説明するための説明図であり、（ｃ）は第２の実施形態に係る腋下用汗取りパッドの他の概略構成を示す平面図である。
【図５】（ａ）は第３の実施形態に係る腋下用汗取りパッドの概略構成を示す平面図であり、（ｂ）は図５（ａ）に示す腋下用汗取りパッドの矢視Ｃ−Ｃ線の断面図であり、（ｃ）は第３の実施形態に係る腋下用汗取りパッドの他の概略構成を示す平面図である。
【図６】（ａ）は第４の実施形態に係る腋下用汗取りパッドの概略構成を示す平面図であり、（ｂ）は図６（ａ）に示す腋下用汗取りパッドの矢視Ｄ−Ｄ線の断面図であり、（ｃ）は第４の実施形態に係る腋下用汗取りパッドの他の概略構成を示す平面図である。
【考案を実施するための形態】
【００１５】
（本考案の第１の実施形態）
腋下用汗取りパッド１００は、図１及び図２に示すように、扁形の本体部１０及び粘着部２０を備え、衣服の着用者２００の皮膚に粘着部２０が付着され、着用者２００の腋下と衣服のそでぐりとの間に本体部１０が保持される。
【００１６】
本体部１０は、着用者２００の腋下側における上層として配設され、当該腋下からの汗を吸収する吸収層と、衣服のそでぐり側における下層として配設され、吸収層に吸収された汗の当該衣服への透過を防止する不透過層とを含む複数層からなる。
【００１７】
なお、本実施形態に係る本体部１０は、図１（ｂ）に示すように、不透過層となる非透水性シート１１と、吸収層となる吸収性生地１２と、保護層となる保護生地１３とを積層してなる。また、本体部１０は、吸収性生地１２及び保護生地１３における周縁部の全周に亘って帯状にウレタン樹脂を含浸させ、このウレタン樹脂を加熱状態で加圧することにより止水部１として非透水性シート１１と一体固化して形成する。なお、止水部１は、本体部１０における所定の内側領域から周縁部の端縁までウレタン樹脂を含浸させて形成してもよい。
【００１８】
非透水性シート１１は、ウレタン素材で形成されるが、ウレタン素材以外に、非透水性かつ柔軟性を有するフィルム素材が挙げられ、例えば、ポリエチレン、ポリプロピレン又はポリスチレン等で形成することができる。
【００１９】
吸収性生地１２は、天然繊維若しくは合成繊維等による不織布、又はメリヤス生地等の吸水性かつ保水性を有する素材で形成される。また、吸収性生地１２には、吸水性かつ保水性の素材に加え、消臭性素材や抗菌性素材を含有させることもできる。この消臭性素材としては、活性炭や消臭成分（ノネナール）等があり、また、抗菌性素材としては、亜鉛イオン、銅イオン若しくは銀イオン等をそれぞれ含有する亜鉛化合物、銅化合物又は銀化合物がある。
【００２０】
保護生地１３は、天然繊維若しくは合成繊維により編織成されたネット状生地又はエンボス生地で形成される。また、保護生地１３は、生地表面側から下層の吸収性生地１２側への透水性を大とし、吸収性生地１２側から保護生地１３側への透水性を小とする機能素材により形成することもできる。
【００２１】
止水部１は、ウレタン樹脂以外に、熱硬化性樹脂としてメラミン系樹脂、ポリエステル、エポキシ樹脂、フラン樹脂又はポリウレタン等で形成することもできる。また、止水部１は、熱硬化性樹脂以外に、吸収性生地１２及び保護生地１３に任意の樹脂材を含浸させた後に他の溶液をこの樹脂材に加えることにより固化して形成することもできる。
【００２２】
なお、止水部１は、吸収性生地１２及び保護生地１３における周縁部の全周に亘って帯状に含浸させる樹脂材として、水性ウレタン樹脂を主成分とする接着剤を用い、この接着剤を加熱状態での加圧を経ずに止水部１として非透水性シート１１と一体固化させる構成
でもよい。
【００２３】
この場合に、樹脂材は、主成分の水性ウレタン樹脂を少なくとも重量比で３０％以上７０％以下含む一方、残り成分のほとんどを占める割合でイソプレンゴムラテックスを含み、その他、イソプレンゴムラテックスを架橋させるための加硫分散体液や、着色用の水溶性顔料をわずかに含み、必要に応じて、水を少量添加される液状の接着剤となっている。この樹脂材を本体部１０へ塗布し、含浸後、乾燥させて水分を揮発させ、凝固させると、非透水性シート１１と一体化した耐水性の止水部１となる。また、この樹脂材をなす水性ウレタン樹脂以外の上記各成分の配合割合は、重量比でイソプレンゴムラテックスが約３０％乃至約７０％、加硫分散体液が０．２％乃至１．０％、水溶性顔料が１．０％乃至２．０％、及び水が０％乃至１０％とされるのが望ましい。
【００２４】
なお、止水部１としては、非透水性シート１１と吸収性生地１２との間に接着材を塗布することなく、所定の温度に加熱して非透水性シート１１を融着により吸収性生地１２と一体化することもできる。
【００２５】
また、本体部１０は、吸収性生地１２及び保護生地１３をそれぞれ別の生地として非透水性シート１１と共に積層し、一体化する構成としているが、これに限らず、吸収性生地１２及び保護生地１３として、各層ごとに性状の異なる複数層構造の編組織を有する一枚の生地を用いる構成してもよい。また、吸収性生地１２及び保護生地１３を一体化した編組織としては、綿糸やポリエステル糸などを編糸としたパイル編地にて編成してもよい。これにより、腋下用汗取りパッド１００は、吸収性生地１２や保護生地１３の機能を一枚の生地で実現して、本体部１０の構造を簡略化でき、製造も容易となる。
【００２６】
本体部１０は、本体部１０における対向する両端（一端２ａ、他端２ｂ）を略直線状に結ぶ線分を第１の仮想線２とした場合に、この第１の仮想線２において、腋下用汗取りパッド１００の装着状態で着用者２００の腋窩に対応して凸形状に湾曲する（図２（ｂ）参照）。
【００２７】
また、本体部１０は、第１の仮想線２に直交し、本体部１０における対向する他の両端（一端３ａ、他端３ｂ）を略直線状に結ぶ線分を第２の仮想線３とした場合に、この第２の仮想線３において、腋下用汗取りパッド１００の装着状態で着用者２００の腋窩に対応して凸形状に湾曲する（図２（ｂ）参照）。
【００２８】
なお、本実施形態に係る本体部１０は、略楕円形状としているために、第１の仮想線２は、本体部１０における楕円の短軸に相当し、第２の仮想線３は、本体部１０における楕円の長軸に相当する。
【００２９】
また、第１の仮想線２における凸形状の湾曲は、本体部１０の生地を一部収縮させた第１の収縮部４ａにより形成することができる。なお、第１の収縮部４ａは、例えば、縫製によるギャザーにて形成することや、プレス成形にて形成することができる。
【００３０】
第１の収縮部４ａは、第１の仮想線２から本体部１０の端縁に向けて、第１の仮想線２に略直交する方向に延在して形成される。また、第１の収縮部４ａは、本体部１０の第１の仮想線２における長さの縮み量が第１の仮想線２で最大であり、端縁に向かうにつれて縮み量が次第に小さくなるように、端縁側を先端とする先細り形状として形成されている。また、第１の収縮部４ａは、先細り形状が第１の仮想線２を基準として線対称に形成され、本体部１０の一端３ａ側の領域と他端３ｂ側の領域とを跨り連続する。さらに、第１の収縮部４ａは、第１の仮想線２の中央部分に形成せれず、両端（一端２ａ、他端２ｂ）近傍に形成される。
【００３１】
このように、本体部１０は、第１の収縮部４ａにより、第１の仮想線２が適宜収縮するように設けられ、第１の仮想線２が所望の曲率半径になるように形成される。
【００３２】
なお、本実施形態に係る第１の収縮部４ａは、着用者２００の腋窩に対応して凸形状に本体部１０（第１の仮想線２）を湾曲させることができ、着用者２００の腋窩に対応して凸形状に本体部１０（第２の仮想線３）を湾曲させることができるのであれば、図１（ａ）に示すような、個数、位置、大きさ及び範囲に限られるものではなく、本体部１０の材質、形状及び大きさに応じて適宜設定することが好ましい。
【００３３】
例えば、図２（ｃ）に示すように、本体部１０の生地を一部収縮させた第２の収縮部４ｂを、第２の仮想線３の中央部分に形成せず、両端（一端３ａ、他端３ｂ）近傍に形成することが考えられる。なお、第２の収縮部４ｂは、例えば、縫製によるギャザーにて形成することや、プレス成形にて形成することができる。
【００３４】
第２の収縮部４ｂは、第２の仮想線３から本体部１０の端縁に向けて、第２の仮想線３に略直交する方向に延在して形成される。また、第２の収縮部４ｂは、本体部１０の第２の仮想線３における長さの縮み量が第２の仮想線３で最大であり、端縁に向かうにつれて縮み量が次第に小さくなるように、端縁側を先端とする先細り形状として形成されている。また、第２の収縮部４ｂは、先細り形状が第２の仮想線３を基準として線対称に形成され、本体部１０の一端２ａ側の領域と他端２ｂ側の領域とを跨り連続する。
【００３５】
このように、本体部１０は、第２の収縮部４ｂにより、第２の仮想線３が適宜収縮するように設けられ、第２の仮想線３が所望の曲率半径になるように形成される。
【００３６】
なお、本実施形態に係る第２の収縮部４ｂは、着用者２００の腋窩に対応して凸形状に本体部１０（第２の仮想線３）を湾曲させることができ、着用者２００の腋窩に対応して凸形状に本体部１０（第１の仮想線２）を湾曲させることができるのであれば、図２（ｃ）に示すような、個数、位置、大きさ及び範囲に限られるものではなく、本体部１０の材質、形状及び大きさに応じて適宜設定することが好ましい。
【００３７】
粘着部２０は、先細り形状であり、本体部１０における対向する両端（一端２ａ、他端２ｂ）に当該先細り形状の先端２０ａがそれぞれ接続され、着用者２００の正面側及び背面側における肩の皮膚に付着して当該着用者２００の腋下に本体部１０を保持する。
【００３８】
なお、本実施形態に係る粘着部２０は、図１（ａ）に示すように、三角形状であるが、本体部１０における対向する両端（一端２ａ、他端２ｂ）に点接続するような先細り形状であれば、この形状に限られず、例えば、ハート形であってもよい。
【００３９】
粘着部２０は、可撓性を有する基材２１に粘着層２２を積層してなる。
【００４０】
なお、本実施形態に係る粘着層２２は、含水ゲルを用いており、長期間の保管性や取扱性の観点から、粘着層２２の上層及び下層（基材２１）に非透水性フィルムを積層することが好ましい。また、基材２１は、非透水性フィルムとして、前述した非透水性シートを用い、本体部１０の非透水性シート１１と基材２１とを一体成形してもよい。
【００４１】
また、粘着層２２に用いる含水ゲルとしては、例えば、ポリアクリル酸系の水溶性ポリマーをゲル基剤として用いたものや、２種類の水溶性ポリマーをゲル基剤に用いたものや、アニオン性ポリマーの架橋構造体を含むものなどが挙げられる。なお、粘着層２２は、皮膚に貼ることができるものであれば、含水ゲルに限られるものではなく、例えば、アク
リル系水溶性接着剤等の水溶性の接着剤や、ゴム系ホットメルト、オレフィン系ホットメルト等の非水溶性接着剤又はＨＬＢ型二重相アクリル粘着剤等が挙げられる。
【００４２】
なお、粘着部２０は、本体部１０と接続する面積が狭い（点接続である）ために、面接続と比較して、図３に示すように、凸形状の湾曲部分の曲率半径を小さく（ほぼ屈曲）することができ、着用者２００の肩関節の運動（内転）を阻害することがない。
【００４３】
以上のように、本実施形態に係る腋下用汗取りパッド１００は、第１の仮想線２が装着状態で着用者２００の腋窩に対応して凸形状に湾曲し、第２の仮想線３が装着状態で着用者２００の腋窩に対応して凸形状に湾曲していることにより、着用者２００の腋下へのフィット性を向上して吸汗性能を高めることができるという作用効果を奏する。
【００４４】
特に、本実施形態に係る腋下用汗取りパッド１００は、粘着部２０が、先細り形状であり、本体部１０における対向する両端（一端２ａ、他端２ｂ）に当該先細り形状の先端２０ａがそれぞれ接続され、本体部１０と粘着部２０とが点接続することにより、面接続と比較して、粘着部２０に対して本体部１０が回動自在になり、着用者２００の肩の動き（腋下の位置）に本体部１０を追従させることができるという作用効果を奏する。
（本考案の第２の実施形態）
図４（ａ）は第２の実施形態に係る腋下用汗取りパッドの概略構成を示す平面図であり、図４（ｂ）は図４（ａ）に示す本体部の湾曲状態を説明するための説明図であり、図４（ｃ）は第２の実施形態に係る腋下用汗取りパッドの他の概略構成を示す平面図である。図４において、図１乃至図３と同じ符号は、同一または相当部分を示し、その説明を省略する。
【００４５】
本体部１０は、第１の仮想線２において、腋下用汗取りパッド１００の装着状態で衣服のそでぐりに対応して凹形状に湾曲する（図４（ｂ）参照）。
【００４６】
また、本体部１０は、第２の仮想線３において、腋下用汗取りパッド１００の装着状態で着用者２００の腋窩に対応して凸形状に湾曲する（図４（ｂ）参照）。
【００４７】
なお、第１の仮想線２における凹形状の湾曲は、本体部１０の生地を一部収縮させた第３の収縮部４ｃにより形成することができる。なお、第３の収縮部４ｃは、例えば、縫製によるギャザーにて形成することや、プレス成形にて形成することができる。
【００４８】
第３の収縮部４ｃは、第１の仮想線２から本体部１０の端縁に向けて、第１の仮想線２に略直交する方向に延在して形成される。また、第３の収縮部４ｃは、本体部１０の第１の仮想線２における長さの縮み量が第１の仮想線２で最大であり、端縁に向かうにつれて縮み量が次第に小さくなるように、端縁側を先端とする先細り形状として形成されている。また、第３の収縮部４ｃは、先細り形状が第１の仮想線２を基準として線対称に形成され、本体部１０の一端３ａ側の領域と他端３ｂ側の領域とを跨り連続する。さらに、第３の収縮部４ｃは、第１の仮想線２の両端（一端２ａ、他端２ｂ）近傍に形成されず、中央部分に形成される。
【００４９】
このように、本体部１０は、第３の収縮部４ｃにより、第１の仮想線２が適宜収縮するように設けられ、第１の仮想線２が所望の曲率半径になるように形成される。
【００５０】
なお、本実施形態に係る第３の収縮部４ｃは、衣服のそでぐりに対応して凹形状に本体部１０（第１の仮想線２）を湾曲させることができ、着用者２００の腋窩に対応して凸形状に本体部１０（第２の仮想線３）を湾曲させることができるのであれば、図４（ａ）に示すような、個数、位置、大きさ及び範囲に限られるものではなく、本体部１０の材質、
形状及び大きさに応じて適宜設定することが好ましい。
【００５１】
例えば、図４（ｃ）に示すように、第１の仮想線２と第２の仮想線３との交点に近づくにつれ、第３の収縮部４ｃの全長を段階的に短くすると共に、本体部１０の生地を一部収縮させた第４の収縮部４ｄを、第１の仮想線２と第２の仮想線３との交点に近づくにつれ、第４の収縮部４ｄの全長を段階的に短くして形成することが考えられる。なお、第４の収縮部４ｄは、例えば、縫製によるギャザーにて形成することや、プレス成形にて形成することができる。
【００５２】
第４の収縮部４ｄは、第２の仮想線３から本体部１０の端縁に向けて、第２の仮想線３に略直交する方向に延在して形成される。また、第４の収縮部４ｄは、本体部１０の第２の仮想線３における長さの縮み量が第２の仮想線３で最大であり、端縁に向かうにつれて縮み量が次第に小さくなるように、端縁側を先端とする先細り形状として形成されている。また、第４の収縮部４ｄは、先細り形状が第２の仮想線３を基準として線対称に形成され、本体部１０の一端２ａ側の領域と他端２ｂ側の領域とを跨り連続する。
【００５３】
このように、本体部１０は、第４の収縮部４ｄにより、第２の仮想線３が適宜収縮するように設けられ、第２の仮想線３が所望の曲率半径になるように形成される。
【００５４】
なお、本実施形態に係る第４の収縮部４ｄは、着用者２００の腋窩に対応して凸形状に本体部１０（第２の仮想線３）を湾曲させることができ、衣服のそでぐりに対応して凹形状に本体部１０（第１の仮想線２）を湾曲させることができるのであれば、図４（ｃ）に示すような、個数、位置、大きさ及び範囲に限られるものではなく、本体部１０の材質、形状及び大きさに応じて適宜設定することが好ましい。
【００５５】
なお、この第２の実施形態においては、腋下用汗取りパッド１００の装着状態で衣服のそでぐりに対応して第１の仮想線２を凹形状に湾曲するところのみが第１の実施形態と異なるところであり、後述する第１の仮想線２を凹形状に湾曲することによる作用効果以外は、第１の実施形態と同様の作用効果を奏する。
【００５６】
本実施形態に係る腋下用汗取りパッド１００は、第１の仮想線２が装着状態で衣服のそでぐりに対応して凹形状に湾曲していることにより、衣服のそでぐりが腋下用汗取りパッドを支持して、着用者の腋下から腋下用汗取りパッドの脱落を防止すると共に、第２の仮想線３が装着状態で着用者２００の腋窩に対応して凸形状に湾曲していることにより、着用者の腋下へのフィット性を向上して吸汗性能を高めることができるという作用効果を奏する。
（本考案の第３の実施形態）
図５（ａ）は第３の実施形態に係る腋下用汗取りパッドの概略構成を示す平面図であり、図５（ｂ）は図５（ａ）に示す腋下用汗取りパッドの矢視Ｃ−Ｃ線の断面図であり、図５（ｃ）は第３の実施形態に係る腋下用汗取りパッドの他の概略構成を示す平面図である。図５において、図１乃至図４と同じ符号は、同一または相当部分を示し、その説明を省略する。
【００５７】
本体部１０は、第１の仮想線２の一端２ａから他端２ｂにかけて周縁部の略半周に亘り配設され、着用者２００の胴体側面における腋下の下方に位置する部分（以下、腋下部と称す）の皮膚に付着して当該着用者２００の腋下に吸収性生地１２を保持する粘着層１４を備えている。
【００５８】
なお、本実施形態に係る粘着層１４は、前述した粘着部２０と同様に、含水ゲルを用いており、長期間の保管性や取扱性の観点から、粘着層１４の上層及び下層に非透水性フィ
ルムを積層することが好ましい。特に、粘着層１４の下層は、非透水性フィルムとして、本体部１０の非透水性シート１１上に形成している。
【００５９】
また、粘着層１４に用いる含水ゲルとしては、例えば、ポリアクリル酸系の水溶性ポリマーをゲル基剤として用いたものや、２種類の水溶性ポリマーをゲル基剤に用いたものや、アニオン性ポリマーの架橋構造体を含むものなどが挙げられる。なお、粘着層１４は、皮膚に貼ることができるものであれば、含水ゲルに限られるものではなく、例えば、アクリル系水溶性接着剤等の水溶性の接着剤や、ゴム系ホットメルト、オレフィン系ホットメルト等の非水溶性接着剤又はＨＬＢ型二重相アクリル粘着剤等が挙げられる。
【００６０】
なお、この第３の実施形態においては、本体部１０に粘着層１４を新たに配設するところのみが第１の実施形態及び第２の実施形態と異なるところであり、後述する粘着層１４による作用効果以外は、第１の実施形態及び第２の実施形態と同様の作用効果を奏する。
【００６１】
本実施形態に係る腋下用汗取りパッド１００においては、本体部１０が粘着層１４を備えていることにより、本体部１０における対向する両端（一端２ａ、他端２ｂ）に接続する２つの粘着部２０と本体部１０の粘着層１４との三点支持により、着用者２００の腋下に対して吸収性生地１２の位置ずれを防止することができるという作用効果を奏する。
【００６２】
なお、本実施形態に係る粘着層１４は、本体部１０の周縁部の略半周（一端３ａ側）に配設させて着用者２００の腋下部の皮膚のみに付着する場合について説明したが、着用者２００の上腕の皮膚のみに付着するように腋下用汗取りパッド１００の左右を反転させることや、本体部１０の周縁部の一端３ａ側及び他端３ｂ側に粘着層１４を配設して着用者２００の腋下部及び上腕の皮膚に付着することも考えられる。
【００６３】
しかしながら、着用者２００は、胴体に対して腕を動かすものであり、腋下部と比較して、上腕における皮膚の伸縮が大きいために、上腕の皮膚からの粘着層１４の剥離が生じ易い。また、着用者２００の腋下部及び上腕の皮膚に粘着層１４を付着して腋下部及び上腕間に本体部１０を架設することは、肩関節の運動（屈曲、伸展、外転など）により、本体部１０が伸長し、着用者２００の腋下部又は上腕の皮膚から粘着層１４の剥離が生じる恐れがある。このため、粘着層１４は、本体部１０の周縁部の略半周に配設させて、着用者２００の腋下部の皮膚のみに付着することが好ましい。
（本考案の第４の実施形態）
図６（ａ）は第４の実施形態に係る腋下用汗取りパッドの概略構成を示す平面図であり、図６（ｂ）は図６（ａ）に示す腋下用汗取りパッドの矢視Ｄ−Ｄ線の断面図であり、図６（ｃ）は第４の実施形態に係る腋下用汗取りパッドの他の概略構成を示す平面図である。図６において、図１乃至図５と同じ符号は、同一または相当部分を示し、その説明を省略する。
【００６４】
本体部１０は、第２の仮想線３に対して略平行に延在し、非透水性シート１１、吸収性生地１２及び保護生地１３より剛性を高く形成される支持部５を備えている。
【００６５】
支持部５は、縫い目、当て縫い、添え糸編み又は接着芯地により形成される。
【００６６】
なお、縫い目により形成される支持部５とは、本体部１０の非透水性シート１１、吸収性生地１２及び／又は保護生地１３に対して、例えば、２本針又は３本針のミシンによる縫い目により形成されるものである。
【００６７】
また、当て縫いにより形成される支持部５とは、本体部１０の非透水性シート１１、吸収性生地１２及び／又は保護生地１３に対して、補強する目的で別に当てる布地（当て布
）等を当てて縫製することにより形成されるものである。
【００６８】
また、添え糸編みにより形成される支持部５とは、本体部１０の非透水性シート１１、吸収性生地１２及び／又は保護生地１３に他の編糸を添えて給糸して編み込んだ編地により形成されるものである。
【００６９】
さらに、接着芯地により形成される支持部５とは、例えば、ポリエステル系、ポリアミド系、ポリウレタン系、ポリエチレン系（高密度、低密度）又はエチレン酢酸ビニル系などの種類の樹脂からなる接着樹脂を、ドット加工、パウダー加工、くもの巣加工又はフィルム加工などの加工方法によって、本体部１０の非透水性シート１１、吸収性生地１２及び／又は保護生地１３に塗布し、フラット型プレス機、ローラー型プレス機などによって加熱及び加圧処理を施すことで、生地に樹脂を固着させることにより形成されるものである。
【００７０】
なお、この第４の実施形態においては、本体部１０に支持部５を新たに配設するところのみが第１の実施形態、第２の実施形態及び第３の実施形態と異なるところであり、後述する支持部５による作用効果以外は、第１の実施形態、第２の実施形態及び第３の実施形態と同様の作用効果を奏する。
【００７１】
本実施形態に係る腋下用汗取りパッド１００においては、本体部１０が支持部５を備えていることにより、本体部１０の凸形状の湾曲状態から平面状態への復元力を生じさせ、着用者２００の腋下に対して本体部１０を密着させることができるという作用効果を奏する。
【００７２】
なお、本実施形態に係る支持部５は、本体部１０に復元力を生じさせるのであれば、図６に示すような、本数、位置、大きさ及び範囲に限られるものではなく、本体部１０の材質、形状及び大きさに応じて適宜設定することが好ましい。
【符号の説明】
【００７３】
１      止水部
２      第１の仮想線
２ａ    一端
２ｂ    他端
３      第２の仮想線
３ａ    一端
３ｂ    他端
４ａ    第１の収縮部
４ｂ    第２の収縮部
４ｃ    第３の収縮部
４ｄ    第４の収縮部
５      支持部
１０    本体部
１１    非透水性シート
１２    吸収性生地
１３    保護生地
１４    粘着層
２０    粘着部
２０ａ  先端
２１    基材
２２    粘着層
１００  腋下用汗取りパッド
２００  着用者
【図１】
0003160711.tif 000003
【図２】
0003160711.tif 000004
【図３】
0003160711.tif 000005
【図４】
0003160711.tif 000006
【図５】
0003160711.tif 000007
【図６】
0003160711.tif 000008